【事件の表示】
　平成１１年特許願第１７７１８２号「光電変換装置及び撮像システム」拒絶査定に対する審判事件［平成１３年　１月１２日出願公開、特開２００１−　　７９８１］について、次のとおり審決する。
【結　論】
　本件審判の請求は、成り立たない。
【理　由】
１．手続の経緯
　本願は、平成１１年６月２３日の出願であって、原審審査官がした拒絶理由の通知に対して平成１３年３月２２日付で手続補正がなされ、平成１３年４月１１日付で拒絶査定がなされ、これに対して、平成１３年５月１６日付で審判請求がなされた後、平成１３年６月１５日付で手続補正がなされ、当審がした拒絶理由の通知に対して平成１５年６月９日付で手続補正がなされたものである。
　
２．本願発明
　本願の請求項１に係る発明（以下、「本願発明」という。）は、前記平成１５年６月９日付手続補正書により補正された明細書及び図面の記載からみて、その特許請求の範囲の請求項１に記載された次のとおりのものである。
「【請求項１】　複数配列された画素を含むセンサ部と、
　前記センサ部に含まれる前記複数配列された画素から水平方向に信号を読み出す、前記センサ部の対向する両方の辺に少なくとも１つ配置されている複数の水平転送手段と、
　前記センサ部の周辺部に配置され、前記センサ部に含まれる画素を選択・走査する垂直及び水平シフトレジスタと、
　前記水平転送手段より加算されていない１画素毎の信号を読み出す第１の読み出しモードでは、前記複数の水平転送手段から信号を読み出し、前記水平転送手段より複数の画素の信号を加算した前記センサ部に含まれる前記複数配列された画素の画素数よりも少ない数の加算信号を読み出す第２の読み出しモードでは、前記複数の水平転送手段よりも少ない数の前記水平転送手段より加算信号を読み出すように、前記垂直及び水平シフトレジスタを駆動する駆動手段と、
を有することを特徴とする光電変換装置。」
　
３．引用例
　これに対して、当審で引用した特開平５−４１８３５号公報（以下、「引用例」という。）には、図面とともに以下の各記載がある。
　ア．「【請求項１】　入射光を画素単位で信号電荷に変換して蓄積する受光部と、
　前記受光部から垂直列毎に読み出された信号電荷を垂直方向に転送する垂直転送部と、
　前記垂直転送部から移された信号電荷を各々水平方向に転送する複数（ｎ本）の水平転送部と、
　前記複数の水平転送部のうち前記垂直転送部側の第１の水平転送部に移された信号電荷の一部を他の水平転送部に選択的に転送する転送ゲートと、
　前記第１の水平転送部から前記他の水平転送部への信号電荷の転送を禁止しつつ前記第１の水平転送部において隣り合うｎ画素分の信号電荷を混合して水平転送すべく前記転送ゲート及び前記第１の水平転送部を駆動する駆動手段とを備えたことを特徴とする固体撮像装置。
　【請求項２】　前記駆動手段は、前記第１の水平転送部から前記他の水平転送部への信号電荷の転送を禁止しつつ前記第１の水平転送部において隣り合うｎ画素分の信号電荷を混合して水平転送する第１の動作モードと、前記転送ゲートの転送動作を選択的に行いつつ前記複数の水平転送部の各々において画素単位で信号電荷を水平転送する第２の動作モードとを選択的に採り得ることを特徴とする請求項１記載の固体撮像装置。」（第２頁左欄第２〜２３行、特許請求の範囲の請求項１及び請求項２）
　イ．「【０００８】
　【実施例】
　以下、本発明の実施例を図面に基づいて詳細に説明する。図１は、本発明の一実施例を示す構成図である。図において、入射光を画素単位で信号電荷に変換して蓄積する受光部を形成すべく画素単位で２次元配列された複数個のフォトセンサ１と、これらフォトセンサ１から垂直列毎に読み出された信号電荷を垂直方向に転送する垂直ＣＣＤ（垂直転送部）２とによって撮像領域３が構成されている。垂直ＣＣＤ２は、垂直走査に相当する動作を受け持っており、垂直転送クロックφＶ１〜φＶ４によって４相駆動される。
　【０００９】垂直ＣＣＤ２の出力側には、垂直ＣＣＤ２から移された信号電荷を各々水平方向に転送する例えば２本の第１，第２の水平ＣＣＤ（水平転送部）４，５が併置されている。これら水平ＣＣＤ４，５は、水平走査に相当する動作を受け持っており、水平転送クロックφＨ１，φＨ２により２相駆動される。水平ＣＣＤ４，５の各出力側には、転送されてきた信号電荷を検出して電圧信号に変換するフローティングディフュージョンアンプ６，７が設けられている。これらフローティングディフュージョンアンプ６，７で変換された電圧信号は、出力アンプ８，９を経て出力信号ＶＯ１，ＶＯ２として外部へ導出される。」（第２頁右欄第２０〜４２行）
　ウ．「【００１１】再び図１において、タイミングジェネレータ１３からは、垂直ＣＣＤ２を４相駆動する垂直転送クロックφＶ１〜φＶ４、第１，第２の水平ＣＣＤ４，５を２相駆動する水平転送クロックφＨ１，φＨ２及び振分け転送ゲート１０を開閉駆動するゲートパルスφＨＨＧ等の各種のタイミング信号が発生される。発生された各種タイミング信号のうち、水平転送クロックφＨ１，φＨ２及びゲートパルスφＨＨＧは水平ドライバ１４を介して第１，第２の水平ＣＣＤ４，５及び振分け転送ゲート１０に印加される。
　【００１２】
　動作モード設定回路１５は、信号電荷の水平転送に関し後述する高Ｓ／Ｎ動作モード（第１の動作モード）と通常動作モード（第２の動作モード）の２つの動作モードのいずれか一方を択一的に設定するためのものであり、例えば、スイッチの切換え等によっていずれかの動作モードを設定し得る構成となっている。この設定モード情報はタイミングジェネレータ１３に供給される。タイミングジェネレータ１３は、設定モード情報に応じて第１，第２の水平ＣＣＤ４，５及び振分け転送ゲート１０への水平転送クロックφＨ１，φＨ２及びゲートパルスφＨＨＧの印加タイミングを制御する。」（第３頁左欄第５〜２５行）
　エ．「【００１３】　以下、信号電荷の水平転送の動作について説明する。　先ず、動作モード設定回路１５にて通常動作モードが設定された場合の転送動作について図２を参照しつつ説明する。水平方向にて隣り合う信号電荷ＳＣ１，ＳＣ２は共に垂直ＣＣＤ２より第１の水平ＣＣＤ４に転送される（ａ）。このとき、振分け転送ゲート１０は閉状態にある。この状態では、信号電荷ＳＣ１，ＳＣ２に対応する第１の水平ＣＣＤ４のゲート電極に印加される水平転送クロックφＨ１，φＨ２は同レベルにあり、信号電荷ＳＣ１，ＳＣ２が第１の水平ＣＣＤ４内で混合されることはない。
　【００１４】そして、次の動作タイミングでは、振分け転送ゲート１０が開駆動されることにより、信号電荷ＳＣ１，ＳＣ２のうち、信号電荷ＳＣ２がチャネル領域１１を介して第２の水平ＣＣＤ５に転送される一方、信号電荷ＳＣ１はチャネルストップ１２によって第２の水平ＣＣＤ５への転送が阻止されるため、第１の水平ＣＣＤ４内に留まる（ｂ）。
　【００１５】以上の動作により、第１の水平ＣＣＤ４と第２の水平ＣＣＤ５への信号電荷ＳＣ１，ＳＣ２の振り分けが完了する。この振り分け完了後、両水平ＣＣＤ４，５において信号電荷ＳＣ１，ＳＣ２の水平転送が行われ（ｃ）、これら信号電荷ＳＣ１，ＳＣ２は出力アンプ８，９からそれぞれ出力信号ＶＯ１，ＶＯ２として導出される。」（第３頁左欄第２６行〜同頁右欄第１行）
　オ．「【００１６】次に、動作モード設定回路１５にて高Ｓ／Ｎ動作モードが設定された場合の転送動作について図３を参照しつつ説明する。なお、この動作モードでは、第１の水平ＣＣＤ４から第２の水平ＣＣＤ５への信号電荷の転送が行われないように、水平ドライバ１４によって振分け転送ゲート１０が常時閉状態に維持されるものとする。
　【００１７】信号電荷ＳＣ１，ＳＣ２は共に垂直ＣＣＤ２より第１の水平ＣＣＤ４に転送され、このうち信号電荷ＳＣ１はチャネルストップ１２によって第２の水平ＣＣＤ５への転送が阻止されるため第１の水平ＣＣＤ４内に留まり、又信号電荷ＳＣ２は振分け転送ゲート１０が閉状態にあるため第２の水平ＣＣＤ５に転送されることなく、信号電荷ＳＣ１と同様に、第１の水平ＣＣＤ４内に留まる（ａ）。
　【００１８】次に、図４のタイミングチャートに示すように、信号電荷ＳＣ１，ＳＣ２に対応する第１の水平ＣＣＤ４のゲート電極に印加される水平転送クロックφＨ１，φＨ２のバランスを崩すことにより、第１の水平ＣＣＤ４内で信号電荷ＳＣ１，ＳＣ２を混合する（ｂ）。しかる後、第１の水平ＣＣＤ４において水平転送が行われ（ｃ）、この信号電荷ＳＣ１＋ＳＣ２は出力アンプ８から出力信号ＶＯ１として導出される。」（第３頁右欄第２〜２４行）
　これらの記載からみて、引用例には、
「画素単位で２次元配列されたフォトセンサを含む受光部と、
　前記受光部に含まれる前記２次元配列されたフォトセンサから水平方向に信号を読み出す、前記受光部の一方の辺に配置されている複数の水平ＣＣＤと、
　前記受光部に含まれるフォトセンサから垂直列毎に読み出された信号電荷を垂直方向に転送する垂直ＣＣＤと、
　前記水平ＣＣＤより画素単位の出力信号を読み出す通常動作モードでは、前記複数の水平ＣＣＤから出力信号を振り分けて同時に読み出し、前記水平ＣＣＤより複数の信号電荷を加算した前記受光部に含まれる複数配列されたフォトセンサの画素数よりも少ない数の出力信号を読み出す高Ｓ／Ｎ動作モードでは、前記複数の水平ＣＣＤよりも少ない一の前記水平ＣＣＤより出力信号を読み出すように、前記垂直及び水平ＣＣＤを駆動するタイミングジェネレータと、
を有する固体撮像装置。」の発明（以下、「引用例記載の発明」という。）が記載されている。
　
４．対比
　そこで、本願発明と引用例記載の発明とを対比すると、
　引用例記載の発明の「フォトセンサ」、「受光部」、「水平ＣＣＤ」、「タイミングジェネレータ」は、それぞれ本願発明の「画素」、「センサ部」、「水平転送手段」、「駆動手段」に相当し、また、引用例記載の発明における、前記水平ＣＣＤより画素単位の出力信号を読み出す「通常動作モード」は、複数の水平ＣＣＤ各々から１画素毎の信号を読み出すものであるから、本願発明における、水平転送手段より加算されていない１画素毎の信号を読み出す「第１の読み出しモード」に相当し、引用例記載の発明における、前記水平ＣＣＤより複数の信号電荷を加算した前記受光部に含まれる複数配列されたフォトセンサの画素数よりも少ない数の出力信号を読み出す「高Ｓ／Ｎ動作モード」は、複数の水平ＣＣＤよりも少ない数の前記水平ＣＣＤより加算信号である出力信号を読み出すものであるから、本願発明における、前記水平転送手段より複数の画素の信号を加算した前記センサ部に含まれる前記複数配列された画素の画素数よりも少ない数の加算信号を読み出す「第２の読み出しモード」に相当するといえることから、両者は、
「複数配列された画素を含むセンサ部と、
　前記センサ部に含まれる前記複数配列された画素から水平方向に信号を読み出す、前記センサ部の辺に配置されている複数の水平転送手段と、
　前記水平転送手段より加算されていない１画素毎の信号を読み出す第１の読み出しモードでは、前記複数の水平転送手段から信号を読み出し、前記水平転送手段より複数の画素の信号を加算した前記センサ部に含まれる前記複数配列された画素の画素数よりも少ない数の加算信号を読み出す第２の読み出しモードでは、前記複数の水平転送手段よりも少ない数の前記水平転送手段より加算信号を読み出すための手段を駆動する駆動手段と、
を有することを特徴とする光電変換装置。」
である点で一致し、次の点で相違する。
（相違点１）
　本願発明ではセンサ部の周辺部に配置され、前記センサ部に含まれる画素を選択・走査する垂直及び水平シフトレジスタを備え、駆動手段は前記垂直及び水平シフトレジスタを駆動するものであるのに対し、引用例記載の発明ではセンサ部に含まれる画素から垂直列毎に読み出された信号電荷を垂直方向に転送する垂直ＣＣＤを備え、駆動手段は前記垂直及び水平ＣＣＤを駆動するものである点。
（相違点２）
　複数の水平転送手段が、本願発明ではセンサ部の対向する両方の辺に少なくとも１つ配置されているのに対し、本館発明ではセンサ部の一方の辺のみに配置されている点。
  
５．当審の判断
　上記相違点について検討する。
（相違点１）について
　センサ部の周辺部に配置され、前記センサ部に含まれる画素を選択・走査する垂直及び水平アドレス選択部を備え、駆動手段により前記垂直及び水平アドレス選択部を駆動するタイプである、いわゆるＸ−Ｙアドレス型（あるいはＭＯＳ型）の光電変換装置や、センサ部に含まれる画素から垂直列毎に読み出された信号電荷を垂直方向に転送する垂直ＣＣＤを備え、駆動手段により前記垂直及び水平ＣＣＤを駆動するタイプである、いわゆるＣＣＤ型の光電変換装置のいずれも周知のものである。なお、前者の光電変換装置における垂直及び水平アドレス選択部をそれぞれシフトレジスタにて構成することはごく普通の技術的事項である。そして、このことは複数の水平転送手段を有し、複数の信号を同時に読み出すようにした光電変換装置であっても、例えば特開平４−１９２８９０号公報（特に、第５頁上右欄第１９行〜同頁下左欄第２０行、第９図、第１０図を参照）、特開平４−３３７９８３号公報（特に、第５頁左欄第３０〜３５行を参照）に記載されているように同様に周知のものであるから、引用例記載の発明において、センサ部に含まれる画素から垂直列毎に読み出された信号電荷を垂直方向に転送する垂直ＣＣＤを備え、駆動手段により前記垂直及び水平ＣＣＤを駆動するものに代えて、センサ部の周辺部に配置され、前記センサ部に含まれる画素を選択・走査する垂直及び水平シフトレジスタを備え、駆動手段により前記垂直及び水平シフトレジスタを駆動するものとすることも当業者であれば容易になし得ることと認められる。
（相違点２）について
　複数の水平転送手段を有し、複数の信号を同時に読み出すようにした光電変換装置において、複数の水平転送手段の配置を、センサ部の一方の辺のみとすることも、センサ部の対向する両方の辺に少なくとも１つとすることもＣＣＤ型、Ｘ−Ｙアドレス型（あるいはＭＯＳ型）といった光電変換装置のタイプにかかわらず、例えば特開平３−１１９８７５号公報（第４頁右上欄第７〜１０行の記載に注意）、特開平４−１９２８９０号公報（特に、第９図、第１０図を参照）、特開平６−２７６４４１号公報に記載のように周知の事項であり、引用例記載の発明における複数の水平転送手段を、センサ部の一方の辺のみに配置する構成に代えて、センサ部の対向する両方の辺に少なくとも１つ配置する構成とすることは当業者が適宜になし得ることである。
　そして、本願発明の構成に基づく作用効果についてみても当業者が予測し得る範囲内のものにすぎず、格別顕著なものがあるとはいえない。
　
６．むすび
　以上のとおり、本願発明は、引用例に記載された発明及び周知事項に基づいて当業者が容易に発明をすることができたものであるから、特許法第２９条第２項の規定により特許を受けることができない。
　よって、結論のとおり審決する。